(57)【要約】【課題】無線ＬＡＮ端末への設定を容易に行う。【解決手段】情報配信サーバ１０２から配信情報が配信され、配信された配信情報が無線ＬＡＮ端末１０１−１〜１０１−ｎにて受信され、受信された配信情報に基づいて、無線ＬＡＮ端末１０１−１〜１０１−ｎにて当該無線ＬＡＮ端末１０１−１〜１０１−ｎが無線通信可能となる設定内容を示す端末設定情報とその端末設定情報を当該無線ＬＡＮ端末１０１−１〜１０１−ｎに設定する時刻を示す起動時刻情報とが生成され、生成された端末設定情報が、生成された起動時刻情報が示す時刻に、当該無線ＬＡＮ端末１０１−１〜１０１−ｎに設定される。【選択図】図１
2007243816.tif 000002
【特許請求の範囲】
【請求項１】
配信情報を配信する情報配信サーバと、該情報サーバから配信された配信情報を受信する無線ＬＡＮ端末とを有してなる無線ＬＡＮシステムにおいて、
前記無線ＬＡＮ端末は、前記配信情報に基づいて当該無線ＬＡＮ端末が無線通信可能となる設定内容を示す端末設定情報と前記端末設定情報を当該無線ＬＡＮ端末に設定する時刻を示す起動時刻情報とを生成し、前記生成された端末設定情報を生成された起動時刻情報が示す時刻に当該無線ＬＡＮ端末に設定することを特徴とする無線ＬＡＮシステム。
【請求項２】
配信情報を配信する情報配信サーバと、該情報サーバから配信された配信情報を受信する無線ＬＡＮ端末とを有してなる無線ＬＡＮシステムにおいて、
前記無線ＬＡＮ端末は、前記配信情報に基づいて当該無線ＬＡＮ端末が無線通信可能となる設定内容を示す通信設定情報を生成し、前記生成された通信設定情報を当該無線ＬＡＮ端末に設定することを特徴とする無線ＬＡＮシステム。
【請求項３】
複数の無線ＬＡＮ端末がネットワークを介して互いに接続されて構成される無線ＬＡＮシステムであって、
前記複数の無線ＬＡＮ端末のうち少なくとも１つの無線ＬＡＮ端末は、当該無線ＬＡＮ端末以外の無線ＬＡＮ端末へ配信する配信情報を生成し、前記生成された配信情報を当該無線ＬＡＮ端末以外の無線ＬＡＮ端末へ配信し、前記生成された配信情報に基づいて当該無線ＬＡＮ端末が無線通信可能となる設定内容を示す端末設定情報と前記端末設定情報を当該無線ＬＡＮ端末に設定する時刻を示す起動時刻情報とを生成し、前記生成された端末設定情報を生成された起動時刻情報が示す時刻に当該無線ＬＡＮ端末に設定し、
前記複数の無線ＬＡＮ端末のうち前記配信情報を配信する無線ＬＡＮ端末以外の無線ＬＡＮ端末は、前記配信された配信情報を受信し、前記受信された配信情報に基づいて当該無線ＬＡＮ端末が無線通信可能となる設定内容を示す端末設定情報と前記端末設定情報を当該無線ＬＡＮ端末に設定する時刻を示す起動時刻情報とを生成し、前記生成された端末設定情報を生成された起動時刻情報が示す時刻に当該無線ＬＡＮ端末に設定する無線ＬＡＮシステム。
【請求項４】
複数の無線ＬＡＮ端末がネットワークを介して互いに接続されて構成される無線ＬＡＮシステムであって、
前記複数の無線ＬＡＮ端末のうち少なくとも１つの無線ＬＡＮ端末は、当該無線ＬＡＮ端末以外の無線ＬＡＮ端末へ配信する配信情報を生成し、前記生成された配信情報を当該無線ＬＡＮ端末以外の無線ＬＡＮ端末へ配信し、前記生成された配信情報に基づいて当該無線ＬＡＮ端末が無線通信可能となる設定内容を示す通信設定情報を生成し、前記生成された通信設定情報を当該無線ＬＡＮ端末に設定し、
前記複数の無線ＬＡＮ端末のうち前記配信情報を配信する無線ＬＡＮ端末以外の無線ＬＡＮ端末は、前記配信された配信情報を受信し、前記受信された配信情報に基づいて当該無線ＬＡＮ端末が無線通信可能となる設定内容を示す通信設定情報を生成し、生成された通信設定情報を当該無線ＬＡＮ端末に設定する無線ＬＡＮシステム。
【請求項５】
配信情報を配信する情報配信サーバとネットワークを介して接続され、前記情報サーバから配信された配信情報を受信する無線ＬＡＮ端末であって、
前記配信情報に基づいて当該無線ＬＡＮ端末が無線通信可能となる設定内容を示す端末設定情報と前記端末設定情報を当該無線ＬＡＮ端末に設定する時刻を示す起動時刻情報とを生成し、生成された端末設定情報を生成された起動時刻情報が示す時刻に当該無線ＬＡＮ端末に設定する無線ＬＡＮ端末。
【請求項６】
配信情報を配信する情報配信サーバとネットワークを介して接続され、前記情報サーバから配信された配信情報を受信する無線ＬＡＮ端末であって、
前記配信情報に基づいて当該無線ＬＡＮ端末が無線通信可能となる設定内容を示す通信設定情報を生成し、生成された通信設定情報を当該無線ＬＡＮ端末に設定する無線ＬＡＮ端末。
【請求項７】
配信情報を配信する情報配信サーバと、該情報サーバから配信された配信情報を受信する無線ＬＡＮ端末とを有してなる無線ＬＡＮシステムにおける無線ＬＡＮ設定方法であって、
前記無線ＬＡＮ端末が、前記配信情報に基づいて当該無線ＬＡＮ端末が無線通信可能となる設定内容を示す端末設定情報と前記端末設定情報を当該無線ＬＡＮ端末に設定する時刻を示す起動時刻情報とを生成する処理と、
前記無線ＬＡＮ端末が、前記生成された端末設定情報を生成された起動時刻情報が示す時刻に当該無線ＬＡＮ端末に設定する処理とを有する無線ＬＡＮ設定方法。
【請求項８】
配信情報を配信する情報配信サーバと、該情報サーバから配信された配信情報を受信する無線ＬＡＮ端末とを有してなる無線ＬＡＮシステムにおける無線ＬＡＮ設定方法であって、
前記無線ＬＡＮ端末が、前記配信情報に基づいて当該無線ＬＡＮ端末が無線通信可能となる設定内容を示す通信設定情報を生成する処理と、
前記無線ＬＡＮ端末が、前記生成された通信設定情報を当該無線ＬＡＮ端末に設定する処理とを有する無線ＬＡＮ設定方法。
【発明の詳細な説明】
【技術分野】
【０００１】
本発明は、無線ＬＡＮ通信機能を有する無線ＬＡＮシステム、無線ＬＡＮ端末及び無線ＬＡＮ設定方法に関する。
【背景技術】
【０００２】
一般的に、無線ＬＡＮ通信で形成されるアドホックネットワークは、無線ＬＡＮアクセスポイントを必要としない無線ＬＡＮ端末同士の通信のみで形成可能なネットワークである。このネットワークは、共通の無線ＬＡＮ通信機能を持った無線ＬＡＮ端末同士が、環境に依存することなく、自由にネットワークを構成できるという利点がある。
【０００３】
このアドホックネットワークを利用するには、アドホックネットワークを利用しようとする無線ＬＡＮ端末に当該アドホックネットワークを利用するための設定を行う必要がある。
【０００４】
また、アドホックネットワークを利用しようとする複数の無線ＬＡＮ端末それぞれが、アドホックネットワークを利用するタイミングにて、その設定による通信が可能な状態である必要がある。
【０００５】
従来より、前記の要件を満たすためには、アドホックネットワークを利用しようとする無線ＬＡＮ端末のユーザが、お互いに共通で用いる設定情報を交換し合い、相手の無線ＬＡＮ端末が当該アドホックネットワークにおける無線ＬＡＮ通信状態にあることを確認した上で、自身の持つ無線ＬＡＮ端末も同様に無線ＬＡＮ通信状態にするように操作している。
【０００６】
しかし、一般的に、無線ＬＡＮ通信のための設定情報を入力するのはユーザにとっては複雑な作業で、且つ専門の知識を必要とするものである。この設定作業をユーザが行うには、大変な手間がかかり、それによる多大な工数が発生してしまう。この無線ＬＡＮ端末のユーザの負担を軽減するためには、ネットワークの管理者が設定作業を行えば良いが、特に、アドホックネットワークのようにある特定の管理者が統括できない状況では、その知識を持ったユーザが最低一人は必ずアドホックネットワークの構成に関わる必要がある。
【０００７】
そのユーザの手間を回避する手段として、以下の方法が考えられている。
【０００８】
例えば、サーバ等に無線ＬＡＮ端末の設定情報をパッケージ化して格納しておき、パッケージ化された設定情報を無線ＬＡＮ通信を自動的に行うエージェントを備えた無線ＬＡＮ端末へ送信し、サーバ等から送信された設定情報を無線ＬＡＮ端末にて自動的に反映させる方法が考えられている（例えば、特許文献１参照。）。
【０００９】
しかし、このような方法は、無線ＬＡＮアクセスポイントを介した通信であるインフラストラクチャモードでは有効だが、無線ＬＡＮアドホックネットワークを構成する為のモードであるアドホックモード時には問題がある。
【００１０】
その理由は、通信を開始させるタイミングにある。アドホックネットワークは複数の無線ＬＡＮ端末が同じタイミングで通信状態に入らないと構築できないため、前記のようなエージェントを用いて接続する為には、設定情報を反映させ通信を開始させるタイミングを同期させる必要がある。
【００１１】
そこで、アドホックネットワークに接続された無線端末から、使用される周波数チャネルの変更を、移行後の周波数チャネルと移行時刻とを用いて、当該アドホックネットワークに接続されている他の無線端末へ通知することにより、使用される周波数チャネルを一斉に変更する方法が考えられている（例えば、特許文献２参照。）。
【特許文献１】特開２００５−０６５０１８号公報
【特許文献２】特開２００５−０２０１６２号公報
【発明の開示】
【発明が解決しようとする課題】
【００１２】
しかしながら、特許文献１に記載された方法と特許文献２に記載された方法とを組み合わせた場合であっても、設定情報自体が送受信されることとなり、アドホックネットワークを構築する度に、その都度設定情報を送受信しなければならないという問題点がある。
【００１３】
本発明は、上述したような従来の技術が有する問題点に鑑みてなされたものであって、無線ＬＡＮ端末への設定を容易に行うことができる無線ＬＡＮシステム、無線ＬＡＮ端末及びこれらを用いた無線ＬＡＮ設定方法を提供することを目的とする。
【課題を解決するための手段】
【００１４】
上記目的を達成するために本発明は、
配信情報を配信する情報配信サーバと、該情報サーバから配信された配信情報を受信する無線ＬＡＮ端末とを有してなる無線ＬＡＮシステムにおいて、
前記無線ＬＡＮ端末は、前記配信情報に基づいて当該無線ＬＡＮ端末が無線通信可能となる設定内容を示す端末設定情報と前記端末設定情報を当該無線ＬＡＮ端末に設定する時刻を示す起動時刻情報とを生成し、前記生成された端末設定情報を生成された起動時刻情報が示す時刻に当該無線ＬＡＮ端末に設定することを特徴とする。
【００１５】
また、配信情報を配信する情報配信サーバと、該情報サーバから配信された配信情報を受信する無線ＬＡＮ端末とを有してなる無線ＬＡＮシステムにおいて、
前記無線ＬＡＮ端末は、前記配信情報に基づいて当該無線ＬＡＮ端末が無線通信可能となる設定内容を示す通信設定情報を生成し、前記生成された通信設定情報を当該無線ＬＡＮ端末に設定することを特徴とする。
【００１６】
また、複数の無線ＬＡＮ端末がネットワークを介して互いに接続されて構成される無線ＬＡＮシステムであって、
前記複数の無線ＬＡＮ端末のうち少なくとも１つの無線ＬＡＮ端末は、当該無線ＬＡＮ端末以外の無線ＬＡＮ端末へ配信する配信情報を生成し、前記生成された配信情報を当該無線ＬＡＮ端末以外の無線ＬＡＮ端末へ配信し、前記生成された配信情報に基づいて当該無線ＬＡＮ端末が無線通信可能となる設定内容を示す端末設定情報と前記端末設定情報を当該無線ＬＡＮ端末に設定する時刻を示す起動時刻情報とを生成し、前記生成された端末設定情報を生成された起動時刻情報が示す時刻に当該無線ＬＡＮ端末に設定し、
前記複数の無線ＬＡＮ端末のうち前記配信情報を配信する無線ＬＡＮ端末以外の無線ＬＡＮ端末は、前記配信された配信情報を受信し、前記受信された配信情報に基づいて当該無線ＬＡＮ端末が無線通信可能となる設定内容を示す端末設定情報と前記端末設定情報を当該無線ＬＡＮ端末に設定する時刻を示す起動時刻情報とを生成し、前記生成された端末設定情報を生成された起動時刻情報が示す時刻に当該無線ＬＡＮ端末に設定する。
【００１７】
また、複数の無線ＬＡＮ端末がネットワークを介して互いに接続されて構成される無線ＬＡＮシステムであって、
前記複数の無線ＬＡＮ端末のうち少なくとも１つの無線ＬＡＮ端末は、当該無線ＬＡＮ端末以外の無線ＬＡＮ端末へ配信する配信情報を生成し、前記生成された配信情報を当該無線ＬＡＮ端末以外の無線ＬＡＮ端末へ配信し、前記生成された配信情報に基づいて当該無線ＬＡＮ端末が無線通信可能となる設定内容を示す通信設定情報を生成し、前記生成された通信設定情報を当該無線ＬＡＮ端末に設定し、
前記複数の無線ＬＡＮ端末のうち前記配信情報を配信する無線ＬＡＮ端末以外の無線ＬＡＮ端末は、前記配信された配信情報を受信し、前記受信された配信情報に基づいて当該無線ＬＡＮ端末が無線通信可能となる設定内容を示す通信設定情報を生成し、生成された通信設定情報を当該無線ＬＡＮ端末に設定する。
【００１８】
また、配信情報を配信する情報配信サーバとネットワークを介して接続され、前記情報サーバから配信された配信情報を受信する無線ＬＡＮ端末であって、
前記配信情報に基づいて当該無線ＬＡＮ端末が無線通信可能となる設定内容を示す端末設定情報と前記端末設定情報を当該無線ＬＡＮ端末に設定する時刻を示す起動時刻情報とを生成し、生成された端末設定情報を生成された起動時刻情報が示す時刻に当該無線ＬＡＮ端末に設定する。
【００１９】
また、配信情報を配信する情報配信サーバとネットワークを介して接続され、前記情報サーバから配信された配信情報を受信する無線ＬＡＮ端末であって、
前記配信情報に基づいて当該無線ＬＡＮ端末が無線通信可能となる設定内容を示す通信設定情報を生成し、生成された通信設定情報を当該無線ＬＡＮ端末に設定する。
【００２０】
また、配信情報を配信する情報配信サーバと、該情報サーバから配信された配信情報を受信する無線ＬＡＮ端末とを有してなる無線ＬＡＮシステムにおける無線ＬＡＮ設定方法であって、
前記無線ＬＡＮ端末が、前記配信情報に基づいて当該無線ＬＡＮ端末が無線通信可能となる設定内容を示す端末設定情報と前記端末設定情報を当該無線ＬＡＮ端末に設定する時刻を示す起動時刻情報とを生成する処理と、
前記無線ＬＡＮ端末が、前記生成された端末設定情報を生成された起動時刻情報が示す時刻に当該無線ＬＡＮ端末に設定する処理とを有する。
【００２１】
また、配信情報を配信する情報配信サーバと、該情報サーバから配信された配信情報を受信する無線ＬＡＮ端末とを有してなる無線ＬＡＮシステムにおける無線ＬＡＮ設定方法であって、
前記無線ＬＡＮ端末が、前記配信情報に基づいて当該無線ＬＡＮ端末が無線通信可能となる設定内容を示す通信設定情報を生成する処理と、
前記無線ＬＡＮ端末が、前記生成された通信設定情報を当該無線ＬＡＮ端末に設定する処理とを有する。
【００２２】
上記のように構成された本発明においては、情報配信サーバから配信情報が配信され、配信された配信情報が無線ＬＡＮ端末にて受信され、受信された配信情報に基づいて、無線ＬＡＮ端末にて当該無線ＬＡＮ端末が無線通信可能となる設定内容を示す端末設定情報とその端末設定情報を当該無線ＬＡＮ端末に設定する時刻を示す起動時刻情報とが生成され、生成された端末設定情報が、生成された起動時刻情報が示す時刻に、当該無線ＬＡＮ端末に設定される。
【００２３】
これにより、情報配信サーバから配信情報が配信された複数の無線ＬＡＮ端末にて、同じ端末設定情報を共有することができ、さらに、当該端末設定情報を同じタイミングにて設定することができるため、同時に通信を自動的に開始することができる。
【発明の効果】
【００２４】
以上説明したように本発明においては、情報配信サーバが配信情報を配信し、配信された配信情報を無線ＬＡＮ端末が受信し、受信された配信情報に基づいて、当該無線ＬＡＮ端末が無線通信可能となる設定内容を示す端末設定情報とその端末設定情報を当該無線ＬＡＮ端末に設定する時刻を示す起動時刻情報とを生成し、生成された端末設定情報を、生成された起動時刻情報が示す時刻に、当該無線ＬＡＮ端末に設定する構成としたため、無線ＬＡＮ端末への設定を容易に行うことができる。
【発明を実施するための最良の形態】
【００２５】
以下に、本発明の実施の形態について図面を参照して説明する。
【００２６】
図１は、本発明の無線ＬＡＮシステムの実施の一形態を示す図である。
【００２７】
本形態は図１に示すように、複数の無線ＬＡＮ端末１０１−１〜１０１−ｎと、情報配信サーバ１０２とがネットワーク１０３を介して接続されている。
【００２８】
無線ＬＡＮ端末１０１−１〜１０１−ｎは、無線ＬＡＮ機能を有する通信端末である。情報配信サーバ１０２は、時刻情報が含まれた一般的な配信情報を無線ＬＡＮ端末１０１−１〜１０１−ｎへ配信する。ここで、配信される配信情報とは、ユーザが業務や生活の中で必要とする可読性を持ったスケジュール情報等の一般的な情報である。例えば、午前１０時から会議室Ａにおいてプロジェクト進捗会議を行う等の情報である。
【００２９】
図２は、図１に示した無線ＬＡＮ端末１０１−１の一構成例を示す図である。
【００３０】
図１に示した無線ＬＡＮ端末１０１−１は図２に示すように、無線ＬＡＮ通信部１１１と、設定情報管理部１１２と、設定情報格納部１１３と、起動制御部１１４と、時刻情報管理部１１５と、配信情報用データ通信部１１６と、設定情報生成部１１７と、設定情報用テーブル１１８とから構成されている。
【００３１】
無線ＬＡＮ通信部１１１は、無線ＬＡＮ通信機能を持つ通信用インタフェースである。設定情報管理部１１２は、無線ＬＡＮ通信部１１１にて通信を行うための無線ＬＡＮ端末１０１−１の設定情報を管理する。設定情報格納部１１３は、設定情報管理部１１２にて管理される設定情報を格納する。起動制御部１１４は、設定情報管理部１１２にて管理される設定情報を無線ＬＡＮ通信部１１１へ設定するタイミングを制御する。時刻情報管理部１１５は、内部に時計を持ち現在時刻を管理するものであり、一般的な端末が有する時計であってもかまわない。配信情報用データ通信部１１６は、情報配信サーバ１０２から送信された配信情報を受信する。設定情報生成部１１７は、配信情報用データ通信部１１６にて受信された配信情報に基づいて無線ＬＡＮ端末１０１−１の設定情報を生成する。設定情報用テーブル１１８は、配信情報用データ通信部１１６にて受信された配信情報と無線ＬＡＮ端末１０１−１の設定情報との対応付けが格納されているテーブルである。
【００３２】
なお、図１に示した無線ＬＡＮ端末１０１−２〜１０１−ｎについても、図２に示した無線ＬＡＮ端末１０１−１の構成と同様の構成である。
【００３３】
図３は、図１に示した情報配信サーバ１０２から送信される一般的な配信情報である配信情報オブジェクトの一構成例を示す図である。
【００３４】
図３に示すように、配信情報オブジェクト１２０は、時刻情報１２１と、時刻関連情報１２２とから構成されている。この配信情報オブジェクト１２０は、一般的な配信情報であり、ユーザが業務や生活の中で必要とする可読性を持ったスケジュール情報等の一般的な情報である。時刻関連情報１２２は、開催されるイベント等の情報が含まれ、また、時刻情報１２１は、そのイベント等が開催される時刻を示す情報である。上述した例では、時刻情報１２１は、午前１０時であり、また、時刻関連情報１２２は、会議室Ａにおいてプロジェクト進捗会議を行うという情報である。
【００３５】
以下に、図１及び図２に示した無線ＬＡＮシステムにおける無線ＬＡＮ設定方法について説明する。
【００３６】
図４は、図１及び図２に示した無線ＬＡＮシステムにおける無線ＬＡＮ設定方法を説明するためのフローチャートである。
【００３７】
まず、情報配信サーバ１０２から配信情報オブジェクト１２０がネットワーク１０２を介して無線ＬＡＮ端末１０１−１〜１０１−ｎへ配信される。この際、配信情報オブジェクト１２０の配信に使用されるネットワークは、セルラー網や近距離無線網、有線ＬＡＮネットワーク等の無線ＬＡＮネットワークとは別のネットワークであっても良いし、時刻情報１２１に示される時刻よりも以前に無線ＬＡＮネットワークが繋がっている状態にあるのならば、そのタイミングで配信されるという入手経緯でも良い。
【００３８】
配信情報サーバ１０２から配信された配信情報オブジェクト１２０は、配信情報用データ通信部１１６にて受信される（ステップＳ１）。配信情報用データ通信部１１６にて受信された配信情報オブジェクト１２０は、設定情報生成部１１７に入力される。そして、設定情報生成部１１７にて、入力された配信情報オブジェクト１２０に基づいて、無線ＬＡＮ端末１０１−１〜１０１−ｎの通信設定情報である無線ＬＡＮ設定オブジェクトが生成される（ステップＳ２）。
【００３９】
図５は、設定情報生成部１１７にて生成される無線ＬＡＮ設定オブジェクトの一構成例を示す図である。
【００４０】
図５に示すように、無線ＬＡＮ設定オブジェクト１３０は、無線ＬＡＮ設定情報１３１と、起動時刻情報１３２とから構成されている。無線ＬＡＮ設定情報１３１は、無線ＬＡＮネットワーク通信に必要なＳＳＩＤ等の端末設定情報である。起動時刻情報１３２は、無線ＬＡＮ設定情報１３１が無線ＬＡＮ通信部１１１に設定される時刻を示す情報である。
【００４１】
ここで、設定情報生成部１１７が、配信情報オブジェクト１２０に基づいて、無線ＬＡＮ設定オブジェクト１３０を生成する方法について説明する。
【００４２】
図６は、図２に示した設定情報用テーブル１１８の一構成例を示す図である。
【００４３】
図６に示すように、配信情報オブジェクト１２０の時刻情報１２１に対応する起動時刻情報１３２が、時刻情報１２１に予め対応付けられて格納されている。また、配信情報オブジェクト１２０の時刻関連情報１２２に対応する無線ＬＡＮ設定情報１３１が、時刻関連情報１２２に予め対応付けられて格納されている。例えば、時刻情報１２１が８時３１分〜９時と起動時刻情報１３２が８時３０分とが対応付けられており、また、時刻情報１２１が９時１分〜９時３０分と起動時刻情報１３２が９時とが対応付けられており、また、時刻情報１２１が９時３１分〜１０時と起動時刻情報１３２が９時３０分とが対応付けられている。また、時刻関連情報１２２が会議室Ａと無線ＬＡＮ設定情報１３１が「ａ」とが対応付けられており、また、時刻関連情報１２２が会議室Ｂと無線ＬＡＮ設定情報１３１が「ｂ」とが対応付けられており、また、時刻関連情報１２２が講堂と無線ＬＡＮ設定情報１３１が「ｃ」とが対応付けられている。
【００４４】
また、時刻情報１２１そのものが起動時刻情報１３２として時刻情報１２１に対応付けられて格納されていても良い。例えば、時刻情報１２１が８時３０分と、起動時刻情報１３２が８時３０分とが対応付けられていても良い。さらに、時刻情報１２１と起動時刻情報１３２とにて、年月日もが対応付けられていても良い。
【００４５】
設定情報生成部１１７にて、配信情報オブジェクト１２０の時刻情報１２１と時刻関連情報１２２とをそれぞれ検索キーとして、設定情報用テーブル１１８から起動時刻情報１３２と無線ＬＡＮ設定情報１３１とがそれぞれ検索され、検索された起動時刻情報１３２と無線ＬＡＮ設定情報１３１とから無線ＬＡＮ設定オブジェクト１３０が生成される。
【００４６】
例えば、図６に示した設定情報用テーブル１１８を用いると、時刻情報１２１が、午前１０時であり、また、時刻関連情報１２２が、会議室Ａにおいてプロジェクト進捗会議を行うという配信情報オブジェクト１２０が情報配信サーバ１０２から配信された場合、起動時刻情報１３２は９時３０分となり、また、無線ＬＡＮ設定情報１３１は「ａ」となる。
【００４７】
ここで、設定情報用テーブル１１８を使用して配信情報オブジェクト１２０に基づいて無線ＬＡＮ設定オブジェクト１３０が生成される例を述べたが、設定情報用テーブル１１８を使用せずに無線ＬＡＮ設定オブジェクト１３０が生成されるものも考えられる。例えば、設定情報生成部１１７にて、所定の変換規則を予め設定しておき、設定された変換規則に基づいて配信情報オブジェクト１２０に応じた無線ＬＡＮ設定オブジェクト１３０が生成されるものであっても良い。
【００４８】
設定情報生成部１１７にて無線ＬＡＮ設定オブジェクト１３０が生成されると、生成された無線ＬＡＮオブジェクト１３０のうち、無線ＬＡＮ設定情報１３１が設定情報管理部１１２によって設定情報格納部１１３に格納される（ステップＳ３）。また、生成された無線ＬＡＮオブジェクト１３０のうち、起動時刻情報１３２が設定情報管理部１１２から起動制御部１１４へ設定される（ステップＳ４）。
【００４９】
起動制御部１１４に起動時刻情報１３２が設定されると、時刻情報管理部１１５にて管理されている現在の時刻が時刻情報管理部１１５から取得され、取得された現在の時刻と、設定された起動時刻情報１３２とが起動制御部１１４にて比較される（ステップＳ５）。
【００５０】
比較された結果、現在の時刻と設定された起動時刻情報１３２とが一致していないと判断された場合、現在の時刻と設定された起動時刻情報１３２とが一致していると判断されるまでループする。つまり、起動制御部１１４にて、さらに時刻情報管理部１１５から現在の時刻が取得され、取得された現在の時刻と設定された起動時刻情報１３２とが比較される。
【００５１】
そして、比較された結果、現在の時刻と設定された起動時刻情報１３２とが一致していると判断された場合、起動制御部１１４から設定情報管理部１１２へ、設定情報格納部１１３に格納されている無線ＬＡＮ設定情報１３１の読み出しが要求される（ステップＳ６）。
【００５２】
起動制御部１１４から設定情報格納部１１３に格納されている無線ＬＡＮ設定情報１３１の読み出しが要求された設定情報管理部１１２にて、設定情報格納部１１３に格納されている無線ＬＡＮ設定情報１３１が読み出され、読み出された無線ＬＡＮ設定情報１３１が無線ＬＡＮ通信部１１１に設定される（ステップＳ７）。
【００５３】
その後、設定された無線ＬＡＮ設定情報１３１に基づいて、無線通信が開始される。
【００５４】
図７は、図１に示した無線ＬＡＮ端末１０１−１〜１０１−３にて配信情報オブジェクト１３０が受信されてから起動するまでのタイミングを示す図である。
【００５５】
図７に示すように、無線ＬＡＮ端末１０１−１において、時間「ｔ１」にて情報配信サーバ１０２から配信された配信情報オブジェクト１３０が受信されるとする。また、無線ＬＡＮ端末１０１−２において、時間「ｔ２」にて情報配信サーバ１０２から配信された配信情報オブジェクト１３０が受信されるとする。また、無線ＬＡＮ端末１０１−３において、時間「ｔ３」にて情報配信サーバ１０２から配信された配信情報オブジェクト１３０が受信されるとする。情報配信サーバ１０２から配信された配信情報オブジェクト１３０の起動時刻１２１が「ｔ４」であり、且つ無線ＬＡＮ端末１０１−１〜１０１−３の設定情報用テーブル１１８にて、起動時刻１２１の「ｔ４」に対応付けられて格納されている起動時刻情報１３２が「ｔ４」である場合、無線ＬＡＮ端末１０１−１〜１０１−３は、時刻「ｔ４」にて一斉に起動し、同時刻から無線通信が開始されることとなる。
【００５６】
また、無線ＬＡＮ端末が情報配信サーバ１０２の代わりに配信情報オブジェクト１３０を生成して他の無線ＬＡＮ端末へ配信する形態も考えられる。
【００５７】
図８は、本発明の無線ＬＡＮシステムの実施の他の形態を示す図である。
【００５８】
本形態は図８に示すように、複数の無線ＬＡＮ端末２０１−１〜２０１−ｎがお互いにネットワーク１０３を介して接続されている。無線ＬＡＮ端末２０１−１〜２０１−ｎのうち１台もしくはそれ以上の無線ＬＡＮ端末２０１−１〜２０１−ｎが図１に示した情報配信サーバ１０２の代わりに配信情報オブジェクト１３０を生成して他の無線ＬＡＮ端末２０１−１〜２０１−ｎへ配信する。ここで、無線ＬＡＮ端末２０１−１が図１に示した情報配信サーバ１０２の代わりに配信情報オブジェクト１３０を生成して無線ＬＡＮ端末２０１−２〜２０１−ｎへ配信する場合を例に挙げて説明する。
【００５９】
図９は、図８に示した無線ＬＡＮ端末２０１−１の一構成例を示す図である。
【００６０】
図８に示した無線ＬＡＮ端末２０１−１は図９に示すように、無線ＬＡＮ通信部１１１と、設定情報管理部１１２と、設定情報格納部１１３と、起動制御部１１４と、時刻情報管理部１１５と、配信情報用データ通信部１１６と、設定情報生成部１１７と、設定情報用テーブル１１８と、配信情報管理部１１９とから構成されている。つまり、図２に示した無線ＬＡＮ端末１０１−１の構成に、配信情報管理部１１９が加わった構成となる。
【００６１】
配信情報管理部１１９は、ユーザの一般的な活動を示す情報として、時刻情報１２１と時刻関連情報１２２を生成し、配信情報オブジェクト１２０としてまとめ、配信情報用データ通信部１１６を用いて他の無線ＬＡＮ端末２０１−２〜２０１−ｎへ配信する。さらに、生成された配信情報オブジェクト１２０を設定情報生成部１１７へ出力することにより、図２に示した無線ＬＡＮ端末１０１−１と同様の処理が行われる。なお、無線ＬＡＮ端末２０１−２〜２０１−ｎが図９に示した無線ＬＡＮ端末２０１−１の構成を有しても良い。これにより、図１に示した無線ＬＡＮシステムと比べて、情報配信サーバ１０２が不要となる利点がある。
【図面の簡単な説明】
【００６２】
【図１】本発明の無線ＬＡＮシステムの実施の一形態を示す図である。
【図２】図１に示した無線ＬＡＮ端末の一構成例を示す図である。
【図３】図１に示した情報配信サーバから送信される一般的な配信情報である配信情報オブジェクトの一構成例を示す図である。
【図４】図１及び図２に示した無線ＬＡＮシステムにおける無線ＬＡＮ設定方法を説明するためのフローチャートである。
【図５】設定情報生成部にて生成される無線ＬＡＮ設定オブジェクトの一構成例を示す図である。
【図６】図２に示した設定情報用テーブルの一構成例を示す図である。
【図７】図１に示した無線ＬＡＮ端末にて配信情報オブジェクトが受信されてから起動するまでのタイミングを示す図である。
【図８】本発明の無線ＬＡＮシステムの実施の他の形態を示す図である。
【図９】図８に示した無線ＬＡＮ端末の一構成例を示す図である。
【符号の説明】
【００６３】
１０１−１〜１０１−ｎ，２０１−１〜２０１−ｎ    無線ＬＡＮ端末
１０２    情報配信サーバ
１０３    ネットワーク
１１１    無線ＬＡＮ通信部
１１２    設定情報管理部
１１３    設定情報格納部
１１４    起動制御部
１１５    時刻情報管理部
１１６    配信情報用データ通信部
１１７    設定情報生成部
１１８    設定情報用テーブル
１１９    配信情報管理部
１２０    配信情報オブジェクト
１２１    時刻情報
１２２    時刻関連情報
１３０    無線ＬＡＮ設定オブジェクト
１３１    無線ＬＡＮ設定情報
１３２    起動時刻情報
【図１】
2007243816.tif 000003
【図２】
2007243816.tif 000004
【図３】
2007243816.tif 000005
【図４】
2007243816.tif 000006
【図５】
2007243816.tif 000007
【図６】
2007243816.tif 000008
【図７】
2007243816.tif 000009
【図８】
2007243816.tif 000010
【図９】
2007243816.tif 000011